(57)【特許請求の範囲】
【請求項１】
中間ベースにより上部と下部に仕切られ、前記中間ベースの上部側に空気用熱交換器を備えたヒートポンプ式給湯機用熱交換ユニットのドレン排水装置において、
前記排水装置は、前記中間ベースの底面と同一面以下で前記空気用熱交換器の背面、右側面又は左側面に凸設され、その底面に排水孔を有するドレン排水部と、
前記ドレン排水部の下部を覆う接続口部を有し、着脱可能に前記ドレン排水部の下部に係設されたドレンソケットと、
このドレンソケットの下部の接続口に接続され外部に延出されたドレンホースと、
前記ドレン排水部を覆う着脱可能なカバーとを備え、
前記カバーは、
前記ドレンホースが接続される前記ドレンソケットの下部の前記接続口を露出するように開口されている
ことを特徴とするヒートポンプ式給湯機用熱交換ユニットのドレン排水装置。
【発明の詳細な説明】
【技術分野】
【０００１】
この発明はヒートポンプ式給湯機用熱交換ユニットのドレン排水装置に関するものである。
【背景技術】
【０００２】
従来のヒートポンプ式空気調和装置の熱交換ユニットにおいて、圧縮機を備えた機械室が下方に、熱交換を備えた熱交換室が上方にそれぞれ配置され、これらの両室が中間ベースにより仕切られており、ドレン排水装置として、機械室を構成する外装パネルには中間ベースのドレン排水孔からのドレン水を、パネル排水口を経て導く通水路が形成されている。
熱交換にて発生した凝縮水や、降雨等により機械室内に進入した雨水はドレン水となって中間ベースに留まる。ドレン水は塵埃等が混入されて汚水となり、中間ベースから中間ベース排水孔及びパネル排水孔を経て、外装パネルの通水路を流れ落ち排出される（例えば、特許文献１参照）。
【０００３】
【特許文献１】特開２００１−２０８３７６号公報（段落００１２〜００２２、図１、図２）
【発明の開示】
【発明が解決しようとする課題】
【０００４】
従来のドレン排水装置は以上のように構成されていたので、外装パネルに形成された通水路がドレン水によって汚れてしまい、熱交換ユニットの外観を損なうなどの問題があった。
【０００５】
この発明は上記のような問題点を解消するためになされたものであり、熱交換ユニットの外観を損なうことなくドレン水を外部へ排水できるヒートポンプ式給湯機用熱交換ユニットのドレン排水装置を得ることを目的とする。
【課題を解決するための手段】
【０００６】
この発明に係るヒートポンプ式給湯機用熱交換ユニットのドレン排水装置は、中間ベースにより上部と下部に仕切られ、中間ベースの上部側に空気用熱交換器を備えたヒートポンプ式給湯機用熱交換ユニットのドレン排水装置において、排水装置は、中間ベースの底面と同一面以下で空気用熱交換器の背面、右側面又は左側面に凸設され、その底面に排水孔を有するドレン排水部と、ドレン排水部の下部を覆う接続口部を有し、着脱可能にドレン排水部の下部に係設されたドレンソケットと、このドレンソケットの下部の接続口に接続され外部に延出されたドレンホースと、ドレン排水部を覆う着脱可能なカバーとを備え、カバーは、ドレンホースが接続されるドレンソケットの下部の接続口を露出するように開口されているものである。
【発明の効果】
【０００７】
この発明によれば、排水装置は、中間ベースの底面と同一面以下で空気用熱交換器の背面、右側面又は左側面に凸設され、その底面に排水孔を有するドレン排水部と、ドレン排水部の下部を覆う接続口部を有し、着脱可能にドレン排水部の下部に係設されたドレンソケットと、このドレンソケットの下部の接続口に接続され外部に延出されたドレンホースと、ドレン排水部を覆う着脱可能なカバーとを備え、カバーは、ドレンホースが接続されるドレンソケットの下部の接続口を露出するように開口されているので、熱交換ユニットの外部へ直接排出されるため、ドレン水が熱交換ユニットの外観を損なうことなくドレン水を外部へ排水できる。
【発明を実施するための最良の形態】
【０００８】
図１はこの発明の実施の形態に係るヒートポンプ式給湯機用熱交換ユニットのドレン排水装置を示す正面図、平面図及び側面図、図２は図１のドレン排水装置の斜視図である。
図１、図２において、温水用熱交換器１０を有する温水用熱交換器室２は熱交換ユニット１の下部に設置され、熱交換ユニット１の上部に設置された空気用熱交換器１１、及びプロペラファン１４を有する空気用熱交換器室２２と、圧縮機１３、及び熱交換ユニット１の運転を制御する電気品１２を有する機械室２３を、背面にドレン排水部２４を設けた中間ベース９にて上下に分離している。
【０００９】
中間ベース９は、空気用熱交換器１１による熱交換にて発生したドレン水２６及び降雨等にて熱交換ユニット１内へ侵入した水を集めるため、底面周縁から立設された側縁部９ａが設けられている。また、空気用熱交換器室２２内の中間ベース９に溜まったドレン水２６を、温水用熱交換器室２へ進入させることなく外部へ排水させるため、ドレン排水部２４の底面は、中間ベース９の底面と同一面で中間ベース９の背面（熱交換ユニット１の背面側）に凸設された凸部２４ａから形成されている。
【００１０】
また、ドレン排水部２４の底面をなす凸部２４ａ周縁から立設された側縁部２４ｂが設けられている。中間ベース９とドレン排水部２４の境界には側縁部９ａ、２４ｂはなく、境界の周縁で側縁部９ａ、２４ａは連接しており、ドレン排水部２４と中間ベース９の底面は同一面で連接されている。
また、ドレン排水部２４のドレン排水孔５が、ドレン水２６及び降雨等にて熱交換ユニット１内へ侵入した水を外部へ排水させるために、ドレン排水部２４の底面をなす凸部２４ａに開設されている。
【００１１】
図３は、ドレン排水装置を下方から見た部分解斜視図、図４は図３の縦断面図である。
図３、図４において、中間ベース９の背面に凸設したドレン排水部２４の下部に、ドレン排水部２４の下部を覆う接続口部１５ａを有し、着脱可能にドレン排水部２４の下部にドレン排水部２４からのドレン水等を集めるドレンソケット１５が取り付けられ、このドレンソケット１５の下部のホース接続口１５ｂにドレンソケット１５からのドレン水を外部に集中排水させるドレンホース１８が接続される。
ドレンソケット１５は引掛け部１６にてドレン排水部２４の底部である凸部２４ａに設けた穴部１７に係止している。
【００１２】
図５はドレン排水装置のカバー取り付けを示す分解斜視、図６はドレン排水装置全体の縦断面図である。
図５、図６においてドレン排水部２４とドレンソケット１５を覆うカバー１９が、中間ベース９の背面にネジ２０等にて取り付けられ、ドレン排水部２４、ドレン排水孔５、ドレンソケット１５への外部からの塵埃等の侵入を防止している。
【００１３】
次に動作について図１、図６により説明する。
ヒートポンプ式給湯機において使用される冷媒は主に高温使用が可能なＣＯ2冷媒が使用され、冷媒回路内に封入されたＣＯ2冷媒は、電気品１２の制御にて運転される圧縮機１３にて圧縮され、空気用熱交換器１１内にて蒸発し、プロペラファン１４にて送風された外気と熱交換を行う。
空気用熱交換器１１による熱交換にて発生したドレン水２６、および、降雨等にて熱交換ユニット１内へ侵入した水は、中間ベース９からドレン排水装置のドレン排水部２４のドレン排水孔５より熱交換ユニット１外へ導かれ、中間ベース９の背面に凸設されたドレン排水部２４に係設させたドレンソケット１５に接続されたドレンホース１８にて熱交換ユニット１の外壁を伝わることなく外部へ排出される。
【００１４】
ヒートポンプ式給湯機の熱交換ユニット１は屋外に設置されることが多く、熱交換ユニット１本体は風雨にさらされるため、外部から塵埃等が侵入しやすくなる。熱交換ユニット１内に侵入した塵埃等は、ドレン水にて運ばれドレン排水部２４及びドレン排水孔５等に堆積しドレン排水孔詰まり等の不具合を引き起こすため、空気用熱交換器１１に近接させたカバー１９にて塵埃２１の侵入を防止する。
【００１５】
以上のように、排水装置は、中間ベースの底面と同一面以下で空気用熱交換器の背面、右側面又は左側面に凸設され、前記中間ベースの背面又は側面に凸設され、その底面に排水孔を有するドレン排水部と、ドレン排水部の下部を覆う接続口部を有し、着脱可能にドレン排水部の下部に係設されたドレンソケットと、このドレンソケットの下部の接続口に接続され外部に延出されたドレンホースと、ドレン排水部を覆う着脱可能なカバーとを備え、カバーは、ドレンホースが接続されるドレンソケットの下部の接続口を露出するように開口されているので、ドレン排水部２４のドレン排水孔５よりドレン水が、熱交換ユニット１の外壁等に形成された通水路を通ることなく、外部へ直接排出されるため、ドレン水により熱交換ユニット１の外観を損なうのを防ぐことができる。
また、ドレン排水部２４を中間ベース９と一体構造とすることで、工作性を向上させることができる。
また、従来のように、熱交換にて発生したドレン水２６等が、ドレン水となって中間ベース９に留り、氷結して空気用熱交換器１１に不具合を生じさせるのを防ぎ、また、温水用熱交換器１０部に侵入して氷結して温水用熱交換器１０に不具合を生じさせるのを防ぎ、また、中間ベース９の腐食を防ぐことができる。
【００１６】
また、ドレン排水部２４の下部を覆う接続口部１５ａを有し、着脱可能にドレン排水部２４の下部に係設されたドレンソケット１５と、このドレンソケット１５の下部の接続口１５ｂに接続され外部に延出されたドレンホース１８とを備えたので、ドレン水により熱交換ユニット１の外観を損なうのを防ぐことができる。
また、ドレン排水部２４とドレンソケット１５を覆う着脱可能なカバー１９を備えたので、ドレン排水部２４、ドレン排水孔５、ドレンソケット１５への外部からの塵埃等の侵入を防止することができる。
【００１７】
なお、本実施の形態では、ヒートポンプ式給湯機用熱交換ユニット１のドレン排水装置について示したが、空気調和装置用熱交換ユニットに用いてもよい。
また、本実施の形態では、中間ベース９の背面側にドレン排水部２４を設けたが、側面側に設けてもよい。
また、本実施の形態では、ドレン排水部２４を中間ベース９と同一底面に設けたが、中間ベース９より低い面に設けてもよい。
【図面の簡単な説明】
【００１８】
【図１】この発明の実施の形態を示すヒートポンプ式給湯機用熱交換ユニットのドレン排水装置を示す正面図、平面図及び側面図である。
【図２】図１のドレン排水装置の斜視図である。
【図３】この発明の実施の形態を示すヒートポンプ式給湯機用熱交換ユニットのドレン排水装置を下方から見た部分解斜視図である。
【図４】図４は図３の縦断面図である。
【図５】この発明の実施の形態を示すヒートポンプ式給湯機用熱交換ユニットのドレン排水装置のカバー取り付けを示す分解斜視図である。
【図６】この発明の実施の形態を示すヒートポンプ式給湯機用熱交換ユニットのドレン排水装置の縦断面図である。
【符号の説明】
【００１９】
１  熱交換ユニット、２  温水用熱交換器室、５  ドレン排水孔、９  中間ベース、１０  温水用熱交換器、１１  空気用熱交換器、１５  ドレンソケット、１６  引掛け部、１７  係止穴、１８  ドレンホース、１１  空気用熱交換器、１９  カバー、２２  空気用熱交換器室、２４ ドレン排水部。
【図１】
0004761894.tif 000002
【図２】
0004761894.tif 000003
【図３】
0004761894.tif 000004
【図４】
0004761894.tif 000005
【図５】
0004761894.tif 000006
【図６】
0004761894.tif 000007